(57)【要約】【課題】  例えば作業現場などの状況を遠隔地で視覚的に把握、認識できると共に作業現場での作業者の生体情報または作業現場の環境情報を遠隔地においてリアルタイムで正確に報知して作業者の危険性、疲労度などを容易に認識することが可能な携帯通信端末機を提供する。【解決手段】  携帯通信端末機１は、例えば携帯テレビ電話（携帯通信）の回線網である通信回線網２を介して相手先の携帯電話３に接続される。携帯通信端末機１は、ＣＰＵ１０と、機能を実現する手段として動作する各構成部（例えば、音声処理部１１、生体情報処理部１４、生体情報判定部１６、環境情報処理部２０、環境情報判定部２２、画像入力部２３、画像出力部２５、画像重畳処理部３０、送信画像圧縮部３１、通信制御部３２、許容値設定処理部３３、自動発呼部３４、非常通報入力部３５、入力部３６、プログラム記憶部３７、データ記憶部３８）とによって構成されている。【選択図】  図１
2006239197.tif 000002
【特許請求の範囲】
【請求項１】
撮像装置からの画像をリアルタイムで送信する携帯通信端末機において、
生体情報センサにより検出された生体情報を数値情報に変換する生体情報処理部と、
前記画像に前記数値情報を重畳して数値情報重畳画像を形成する画像重畳処理部と、
前記数値情報重畳画像を圧縮して圧縮送信画像を形成する送信画像圧縮部と、
前記圧縮送信画像を送信する通信制御部と
を備えることを特徴とする携帯通信端末機。
【請求項２】
前記生体情報の許容値を記憶する生体情報許容値記憶部と、前記生体情報の許容値と前記生体情報センサが検出した生体情報とを比較して生体の異常を判定する生体情報判定部とを備え、
該生体情報判定部が生体の異常を判定したときに、前記画像重畳処理部は前記数値情報を点滅させて前記画像に重畳する構成としてあること
を特徴とする請求項１に記載の携帯通信端末機。
【請求項３】
前記生体情報は、血中酸素濃度または心拍数であることを特徴とする請求項１または請求項２に記載の携帯通信端末機。
【請求項４】
撮像装置からの画像をリアルタイムで送信する携帯通信端末機において、
環境情報センサにより検出された環境情報を数値情報に変換する環境情報処理部と、
前記画像に前記数値情報を重畳して数値情報重畳画像を形成する画像重畳処理部と、
前記数値情報重畳画像を圧縮して圧縮送信画像を形成する送信画像圧縮部と、
前記圧縮送信画像を送信する通信制御部と
を備えることを特徴とする携帯通信端末機。
【請求項５】
前記環境情報の許容値を記憶する環境情報許容値記憶部と、前記環境情報の許容値と前記環境情報センサが検出した環境情報とを比較して環境の異常を判定する環境情報判定部とを備え、
該環境情報判定部が環境の異常を判定したときに、前記画像重畳処理部は前記数値情報を点滅させて前記画像に重畳する構成としてあること
を特徴とする請求項４に記載の携帯通信端末機。
【請求項６】
前記環境情報は、位置情報、周囲温度、または空気ボンベの空気残量の少なくとも一つであることを特徴とする請求項４または請求項５に記載の携帯通信端末機。
【請求項７】
撮像装置からの画像をリアルタイムで送信する携帯通信端末機において、
生体情報センサにより検出された生体情報を数値情報に変換する生体情報処理部と、
環境情報センサにより検出された環境情報を数値情報に変換する環境情報処理部と、
通信相手先からの指示に基づいて前記生体情報を変換した数値情報および前記環境情報を変換した数値情報から選択した選択数値情報を前記画像に重畳して数値情報重畳画像を形成する画像重畳処理部と、
前記数値情報重畳画像を圧縮して圧縮送信画像を形成する送信画像圧縮部と、
前記圧縮送信画像を送信する通信制御部と
を備えることを特徴とする携帯通信端末機。
【請求項８】
前記画像重畳処理部は、通信相手先からの指示に基づいて前記画像への前記数値情報の重畳の当否を制御すること
を特徴とする請求項１ないし請求項７のいずれか一つに記載の携帯通信端末機。
【請求項９】
非常通報入力がされたときに自動発呼することを特徴とする請求項１ないし請求項８のいずれか一つに記載の携帯通信端末機。
【請求項１０】
前記携帯通信端末機は携帯電話端末機であることを特徴とする請求項１ないし請求項９のいずれか一つに記載の携帯通信端末機。
【発明の詳細な説明】
【技術分野】
【０００１】
本発明は、生体情報および環境情報を撮像装置が撮影した画像（動画）に重畳して送信する携帯通信端末機に関する。
【背景技術】
【０００２】
近年、携帯電話に係る技術の進展、電話回線網の発展に伴い、撮像装置を用いて撮影した画像（動画）をリアルタイムで送受信する携帯通信端末機（例えば携帯テレビ電話）が実用化されている。この携帯通信端末機によれば動画をリアルタイムで送信することができるので、例えば災害現場などの状況を遠隔地においてもリアルタイムで視覚的に把握、認識することが可能となる。
【０００３】
しかし、携帯通信端末機そのものを単独で災害現場などへ配置することはできないことから、文字通り作業者が携帯して現場の状況を撮影する必要があり作業者への危険度は従来にも増して大きくなっていると言える。したがって、遠隔地においても作業者の生体情報、作業環境の環境情報をリアルタイムで正確に把握することが求められている。
【０００４】
人体の心拍、呼吸を検知して心拍、呼吸に異常が認められた場合に、第３者の電話に自動的に異常信号、心拍・呼吸数、心拍・呼吸波形、個人情報を伝送する携帯無線電話型バイタルチェッカーが提案されている（例えば特許文献１参照）。この提案によれば、人体の生体情報を携帯無線電話でリアルタイムに送信できることから、高齢者や病人の監視には有効であるが、利用可能な範囲に限界があった。つまり、限られた監視対象に対する単なる監視用に過ぎず、例えば災害現場、作業現場などの危険地域で作業を行う作業者への適用には現場の状況（現場の映像、現場の環境情報）などを把握することが困難であり、適用による効果も限られていた。
【０００５】
また、ＧＰＳ（Ｇｌｏｂａｌ  Ｐｏｓｉｔｉｏｎｉｎｇ  Ｓｙｓｔｅｍ：全地球測位システム）などを用いて現場（地下または建築構造物）にいる人の位置情報、生体情報、環境情報を収集して情報の一元管理を行う災害情報等の収集ネットワークシステムが提案されている（例えば特許文献２参照）。しかし、この提案によれば、ＧＰＳ再放射器、搬送波に多数のＩＤ信号及びビート発生用信号を重畳して送信可能な電波送信機などが必要になるなどシステムが大掛かりとなりシステムが構築された現場にしか適用できないことなど実用性に欠けるという問題があった。
【特許文献１】特開２００２−１７６９３号公報
【特許文献２】特開２００３−１０３４８号公報
【発明の開示】
【発明が解決しようとする課題】
【０００６】
本発明はこのような状況に鑑みてなされたものであり、携帯電話などの携帯通信端末機の動画送信機能を用いて、携帯通信端末機が撮像した映像（画像）に生体情報センサが検出した生体情報を数値情報として重畳して送信することにより、簡単な構成で、災害現場などの状況を遠隔地（の受信機）で視覚的に把握、認識できると共に例えば作業現場での作業者の身体状況を遠隔地においてリアルタイムで正確に報知して作業者の危険性、疲労度などを容易に認識することが可能な携帯通信端末機を提供することを目的とする。
【０００７】
また、本発明は携帯通信端末機が撮像した映像（画像）に携帯通信端末機が置かれた場所で環境情報センサが検出した環境情報を数値情報として重畳して送信することにより、簡単な構成で、災害現場などの状況を遠隔地で視覚的に把握、認識できると共に例えば作業現場での周囲温度、作業者の位置状況（移動状況）、生命保護装置としての空気ボンベの残量空気情報などを遠隔地においてリアルタイムで正確に報知して作業者の危険性、安全性などを容易に認識することが可能な携帯通信端末機を提供することを他の目的とする。
【０００８】
また、本発明は生体情報および環境情報に許容値（許容範囲）を設けて、許容値と生体情報センサまたは環境情報センサが検出した生体情報または環境情報とを比較判定することにより、生体の異常または環境の異常を判定した場合には、画像情報に重畳された生体情報または環境情報（の数値情報）を点滅させて異常事態を確実に報知できる携帯通信端末機を提供することを他の目的とする。
【０００９】
また、本発明は通信相手先からの指示にもとづいて、画像に重畳する数値情報を選択する構成とすることにより、通信相手先の必要性に応じた情報を通信相手先で表示することが可能な携帯通信端末機を提供することを他の目的とする。
【００１０】
また、本発明は通信相手先からの指示にもとづいて、画像に数値情報を重畳するか否かを選択する構成とすることにより、通信相手先の必要性に応じた表示を通信相手先で行うことが可能な携帯通信端末機を提供することを他の目的とする。
【００１１】
また、本発明は非常通報入力部への入力に基づいて自動発呼を行うことにより、遠隔地においてリアルタイムで正確に非常事態を報知することが可能な携帯通信端末機を提供することを他の目的とする。
【００１２】
また、本発明はテレビ電話機能付きの携帯電話端末機を用いることから、現在のシステムをそのまま活用可能であり、従来取得することが困難であった危険場所での映像、生体情報、環境情報を取得することができる簡易な携帯通信端末機を提供することを他の目的とする。
【課題を解決するための手段】
【００１３】
本発明に係る携帯通信端末機は、撮像装置からの画像をリアルタイムで送信する携帯通信端末機において、生体情報センサにより検出された生体情報を数値情報に変換する生体情報処理部と、前記画像に前記数値情報を重畳して数値情報重畳画像を形成する画像重畳処理部と、前記数値情報重畳画像を圧縮して圧縮送信画像を形成する送信画像圧縮部と、前記圧縮送信画像を送信する通信制御部とを備えることを特徴とする。
【００１４】
この構成により、送信対象としての生体情報（携帯通信端末機保持者または生体情報センサから生体情報を携帯通信端末機へ送信可能な状況に置かれた被監視者の生体情報）を通信相手先（監視基地としての例えば携帯電話）で画像と共に数値データとして報知（表示）することができるので、監視者（例えば監視基地としての携帯電話保持者）はリアルタイムで画像と共に生体情報を把握することができる。例えば、危険場所で作業する作業者の生体情報がリアルタイムで正確に報知されることから、監視基地においては、作業者の生体情報を正確に把握することができるので、作業者に対する適切な指示（退避指示など）を行うことが可能となる。
【００１５】
本発明に係る携帯通信端末機では、前記生体情報の許容値を記憶する生体情報許容値記憶部と、前記生体情報の許容値と前記生体情報センサが検出した生体情報とを比較して生体の異常を判定する生体情報判定部とを備え、該生体情報判定部が生体の異常を判定したときに、前記画像重畳処理部は前記数値情報を点滅させて前記画像に重畳する構成としてあることを特徴とする。
【００１６】
この構成により、通信相手先は数値情報を動画（点滅動画）として受信することから、異常と判断されたときの数値情報を点滅状態で表示することとなるので、確実に異常を認識することができる。
【００１７】
本発明に係る携帯通信端末機では、前記生体情報は、血中酸素濃度または心拍数であることを特徴とする。
【００１８】
この構成により、重要な生体情報を報知することから、生体の安全を確保することができる。
【００１９】
本発明に係る携帯通信端末機は、撮像装置からの画像をリアルタイムで送信する携帯通信端末機において、環境情報センサにより検出された環境情報を数値情報に変換する環境情報処理部と、前記画像に前記数値情報を重畳して数値情報重畳画像を形成する画像重畳処理部と、前記数値情報重畳画像を圧縮して圧縮送信画像を形成する送信画像圧縮部と、前記圧縮送信画像を送信する通信制御部とを備えることを特徴とする。
【００２０】
この構成により、送信対象としての環境情報（携帯通信端末機が置かれた状況での環境情報）を通信相手先（監視基地としての例えば携帯電話）で画像と共に数値データとして報知（表示）することができるので、監視者（例えば監視基地としての携帯電話保持者）はリアルタイムで画像と共に環境情報を把握することができる。例えば、危険場所に配置された作業者の位置情報、空気残量などの環境情報がリアルタイムで正確に報知されることから、監視基地においては、作業者の置かれた状況を正確に把握することができるので、作業者に対する適切な支援対応（救援対応、退避指示など）を行うことが可能となる。
【００２１】
本発明に係る携帯通信端末機では、前記環境情報の許容値を記憶する環境情報許容値記憶部と、前記環境情報の許容値と前記環境情報センサが検出した環境情報とを比較して環境の異常を判定する環境情報判定部とを備え、該環境情報判定部が環境の異常を判定したときに、前記画像重畳処理部は前記数値情報を点滅させて前記画像に重畳する構成としてあることを特徴とする。
【００２２】
この構成により、通信相手先は数値情報を動画（点滅動画）として受信することから、異常と判断された数値情報を点滅状態で表示することとなるので、確実に異常を認識することができる。
【００２３】
本発明に係る携帯通信端末機では、前記環境情報は、位置情報、周囲温度、または空気ボンベの空気残量の少なくとも一つであることを特徴とする。
【００２４】
この構成により、重要な環境情報を報知することから、生体の安全を確保することができる。
【００２５】
本発明に係る携帯通信端末機は、撮像装置からの画像をリアルタイムで送信する携帯通信端末機において、生体情報センサにより検出された生体情報を数値情報に変換する生体情報処理部と、環境情報センサにより検出された環境情報を数値情報に変換する環境情報処理部と、通信相手先からの指示に基づいて前記生体情報を変換した数値情報および前記環境情報を変換した数値情報から選択した選択数値情報を前記画像に重畳して数値情報重畳画像を形成する画像重畳処理部と、前記数値情報重畳画像を圧縮して圧縮送信画像を形成する送信画像圧縮部と、前記圧縮送信画像を送信する通信制御部とを備えることを特徴とする。
【００２６】
この構成により、通信相手先からの指示により、生体情報に係る数値情報および環境情報に係る数値情報から選択した選択数値情報を画像に重畳することとなるので、通信相手先の画面での選択数値情報の表示／非表示の切り替えを通信相手先からの信号により制御することが可能となり、監視精度を向上させることができる。
【００２７】
本発明に係る携帯通信端末機では、前記画像重畳処理部は、通信相手先からの指示に基づいて前記画像への前記数値情報の重畳の当否を制御することを特徴とする。
【００２８】
この構成により、画像への数値情報の重畳処理のオンオフ制御を通信相手先の携帯電話からの指示に基づいて行うことから、監視者側の必要性に応じた送信画像を送信することができる。
【００２９】
本発明に係る携帯通信端末機では、非常通報入力がされたときに自動発呼することを特徴とする。
【００３０】
この構成により、例えば非常通報用のスイッチを押すだけで、通信相手先に非常事態を報知することができることから、生体の安全確保を混乱なく、より迅速、確実に行うことができる。
【００３１】
本発明に係る携帯通信端末機では、前記携帯通信端末機は携帯電話端末機であることを特徴とする。
【００３２】
この構成により、電話通信を併用することができるので、音声での通信を行うことから、より確実な通信（意思疎通）を行うことができる。
【発明の効果】
【００３３】
本発明に係る携帯通信端末機によれば、画像と共に生体情報を監視者（通信相手先）側で監視することができるので、危険場所で作業する作業者の生体状況をリアルタイムで把握できることから、作業者に対する適切な指示、監視が可能となるという効果を奏する。
【００３４】
本発明に係る携帯通信端末機によれば、生体の異常を判定した場合に生体情報の数値情報が監視者側で点滅して表示されることから、確実に生体の異常を認識することができるという効果を奏する。
【００３５】
本発明に係る携帯通信端末機によれば、画像と共に環境情報を監視者（通信相手先）側で監視することができるので、危険場所で作業する作業者の環境状況をリアルタイムで把握できることから、作業者に対する適切な指示、監視が可能となるという効果を奏する。
【００３６】
本発明に係る携帯通信端末機によれば、環境の異常を判定した場合に環境情報の数値情報が監視者側で点滅して表示されることから、確実に環境の異常を認識することができるという効果を奏する。
【００３７】
本発明に係る携帯通信端末機によれば、通信相手先からの指示信号に基づいて生体情報および環境情報から選択した選択数値情報を画像に重畳することから、通信相手先（監視者）の必要に応じた数値情報を表示することができるので、監視精度を向上させることができるという効果を奏する。
【００３８】
本発明に係る携帯通信端末機によれば、通信相手先からの指示信号に基づいて数値情報の画像への重畳の当否を制御することから、通信相手先（監視者）の必要に応じた画像（数値情報重畳画像／数値情報非重畳画像）を送信することができるので、監視精度を向上させることができるという効果を奏する。
【００３９】
本発明に係る携帯通信端末機によれば、非常通報入力に応じて自動発呼することから、確実迅速に通信相手先に非常事態を報知することができ、生体の安全確保をより確実に行うことができるという効果を奏する。
【００４０】
本発明に係る携帯通信端末機によれば、携帯電話端末機とすることにより、電話通信を併用することから、音声による確実な通信（意思疎通）を行うことができるという効果を奏する。
【発明を実施するための最良の形態】
【００４１】
以下、本発明の実施の形態を図面に基づいて説明する。
【００４２】
＜実施の形態１＞
図１は、本発明の実施の形態１に係る携帯通信端末機の概略構成を示すブロック図である。
【００４３】
本実施の形態に係る携帯通信端末機１は、例えば携帯テレビ電話の機能を備え、携帯テレビ電話（携帯通信）の回線網である通信回線網２を介して例えばテレビ電話の機能を備える相手先の携帯電話３に接続され、テレビ電話の送信機として動作する。つまり、携帯通信端末機１、携帯電話３はいずれも携帯用通信回線（例えば携帯テレビ電話回線）を利用してテレビ電話などの動画での画像通信を行うことができるように構成してあり、例えば携帯電話の規格である３Ｇ−３２４Ｍに準拠して動作するように構成してある。
【００４４】
したがって、携帯通信端末機１は、撮像した画像を動画としてリアルタイムで送信することができる。画像通信に限らず電話での会話を可能としておくことにより双方の意思疎通をさらに向上させることができる。また、携帯通信端末であることから、基本的に配置場所を問わず、緊急時の救援活動、危険場所での作業などで作業者が直接保持することが可能であり、救援活動、危険作業などでの監視体制を確保し、特に作業者の安全性を監視し、安全を確保することが可能となる。
【００４５】
携帯通信端末機１は、全体を制御する制御部としてのＣＰＵ（Ｃｅｎｔｒａｌ  Ｐｒｏｃｅｓｓｉｎｇ  Ｕｎｉｔ：中央演算処理部）１０と、バス１０ｂを介してＣＰＵ１０に接続され、機能を実現する手段として個別にあるいは他の構成部と連携して動作する各構成部（音声処理部１１その他）とによって構成されている。なお、各構成部は必ずしもハードウエア構成とされるわけではなく、コンピュータプログラムによりソフトウエア処理されることが可能であることは言うまでもない。なお、ＯＳ（オペレーティングシステム）としては種々の方式のものを用いることが可能であることも言うまでもない。
【００４６】
本実施の形態では、構成部として例えば、音声処理部１１、生体情報処理部１４、生体情報判定部１６、環境情報処理部２０、環境情報判定部２２、画像入力部２３、画像出力部２５、画像重畳処理部３０、送信画像圧縮部３１、通信制御部３２、許容値設定処理部３３、自動発呼部３４、非常通報入力部３５、入力部３６、プログラム記憶部３７、データ記憶部３８を備える。
【００４７】
音声処理部１１には、マイク１２、スピーカ１３が接続してある。マイク１２、スピーカ１３は、例えばハンズフリーシステムの骨伝導イヤホンマイクで構成してある。骨伝導イヤホンマイクによれば周囲の雑音を排除することが可能となり明瞭な通話が可能となる。マイク１２、スピーカ１３を備えることから、音声処理部１１および通信制御部３２を介して携帯電話３に対して音声による通話（双方向通信）が可能となる。なお、音声の圧縮規格としては例えばＡＭＲを採用することができる。音声による通話を可能としていることから、携帯通信端末機１と携帯電話３との間での意思疎通をより確実なものとすることができる。
【００４８】
生体情報処理部１４には、生体情報を検出（測定）する生体情報センサ１５が接続してある。生体情報処理部１４は、生体情報センサ１５が検出した生体情報を数値情報に変換するので、生体情報の内容を正確に認識でき、また信号処理が容易にできる構成としてある。
【００４９】
生体情報センサ１５は、例えば指輪型のパルスオキシメータで構成してあり、着装する生体（例えば作業者、救急患者）の血中酸素濃度および心拍数をリアルタイムで時々刻々と測定することができる。生体の血中酸素濃度および心拍数を常時監視することができるので作業者などの安全を常時監視して、作業者などの危険を排除することができる。
【００５０】
生体情報センサ１５は生体情報処理部１４に導線で接続することも可能であるが、着装する生体の可動性（作業の容易性）などを考慮して無線で通信する構成としてある。つまり、生体情報処理部１４は生体情報センサ１５から無線で生体情報を受信することができる。
【００５１】
生体情報判定部１６は、生体情報センサ１５から入力された生体情報を生体情報許容値記憶部３９に記憶してある生体情報の許容値と比較することにより生体情報が許容値の範囲内か否かを判定する。生体情報センサ１５により検出された生体情報が許容値の範囲内か否かを判定することにより生体の異常を迅速に検出することが可能となり、作業者などの安全性を確保することができる。
【００５２】
環境情報処理部２０には、環境情報を検出（測定）する環境情報センサ２１が接続してある。環境情報処理部２０は、環境情報センサ２１が検出した環境情報を数値情報に変換するので、環境情報の内容を正確に認識でき、また信号処理が容易にできる構成としてある。
【００５３】
環境情報センサ２１は、例えば周囲温度を測定するサーミスタ、周囲湿度を測定する湿度センサ、位置情報を抽出するジャイロ式位置情報端末、作業者の生命を維持するための空気ボンベの空気残量センサなどで構成する。
【００５４】
温度、湿度を測定することにより作業者の置かれた状況を把握することが可能となり、危険度、安全性を予測することが可能となる。
【００５５】
位置情報を抽出することにより作業者の位置を正確に把握することが可能となり、作業者の危険度、安全性を予測することができる。例えば作業者が倒れたり、階段から落ちたりした場合などに状況を客観的に把握することが可能となり、作業者の安全性を確保することができる。
【００５６】
空気ボンベによる酸素補給を伴う作業をしている場合に、空気残量を検出することにより作業者の安全を確保することが可能となる。
【００５７】
環境情報判定部２２は、環境情報センサ２１から入力された環境情報を環境情報許容値記憶部４０に記憶してある環境情報の許容値と比較することにより環境情報が許容値の範囲内か否かを判定する。環境情報センサ２１により検出された環境情報が許容値の範囲内か否かを判定することにより環境の異常を迅速に検出することが可能となり、作業者などの安全性を確保することができる。
【００５８】
画像入力部２３には、撮像装置２４が接続してあり、周囲状況を画像として入力できる構成としてある。撮像装置２４は、例えばＣＣＤ撮像素子を内蔵した赤外線カメラで構成してあり、被写体（被写環境）をリアルに撮影することができる。赤外線カメラとすることで被写体の温度表示を同時に行う構成としてある。画像入力部２３、撮像装置２４は、テレビ電話の画像入力手段として機能し、撮影した画像を通信相手先（携帯電話３）へ送信することから、携帯電話３でもリアルタイムで画像を把握することができる。
【００５９】
画像出力部２５には、モニタ２６が接続してあり、撮像装置２４が撮影し画像入力部２３に入力された画像をそのまま視認することができるように構成してあり、モニタ２６の内容を確認することにより所望の画像を確実に撮影することができる構成としてある。画像入力部２３、撮像装置２４、画像出力部２５、モニタ２６でのコンポジット信号は例えばＮＴＳＣ方式として汎用性、連携性を持たせることができる。
【００６０】
画像重畳処理部３０は、画像入力部２３に入力された画像に生体情報処理部１４または環境情報処理部２０から出力された生体情報を変換した数値情報または環境情報を変換した数値情報を重畳して動画情報としての数値情報重畳画像を形成するものであり、数値情報は画像に重畳されることから、そのまま動画（動画数値情報）として処理することが可能となる。
【００６１】
なお、画像に重畳する数値情報の種類（数値情報の組み合わせ）は適宜設定可能であることは言うまでもない。例えば、血中酸素濃度、心拍数、空気残量および周囲温度を１つの組み合わせとし、前後動作、左右動作および上下動作の状況を位置情報として１つの組み合わせとすることも可能である（実施の形態４参照）。
【００６２】
送信画像圧縮部３１は、画像重畳処理部３０により数値情報が重畳された数値情報重畳画像を圧縮して圧縮送信画像を形成することにより通信回線網２を利用可能とするものであり、圧縮形式としては例えばＭＰＥＧ−４規格を採用することができる。
【００６３】
通信制御部３２は、送信画像圧縮部３１により形成された圧縮送信画像および音声処理部１１（マイク１２）からの音声信号を通信回線網２へアンテナ３２ａを介して送出し、また、通信回線網２からの信号（画像、音声、適宜の信号（例えばＤＴＭＦ信号））を受信する。
【００６４】
許容値設定処理部３３は、生体情報および環境情報の許容値を設定入力し、データ記憶部３８に記憶する。例えばＵＳＢ端子（ユニバーサルシリアルバス端子）を構成要素に含む入力部３６を介して入力された生体情報および環境情報の許容値をデータ記憶部３８（生体情報許容値記憶部３９、環境情報許容値記憶部４０）に許容値のデータとして記憶させる。データ記憶部３８はデータの更新が可能なように、データの書き換えが可能なＥＰＲＯＭなどで構成してある。データの更新が可能であることから、携帯通信端末機１を保持する担当者が変更された場合でもデータを更新して利用することができるので、汎用性に富む形態となる。
【００６５】
生体情報および環境情報の許容値を基準データとしてデータ記憶部３８に記憶しておくことにより、検出された生体情報および環境情報が正常値か否かを判定する基準とすることができるので、生体情報判定部１６および環境情報判定部２２での判定を正確なものとすることができる。
【００６６】
自動発呼部３４は、非常通報入力部３５から非常通報入力がなされたときに、予め登録してある特定の通信相手先（例えば監視基地）に対して自動発呼を行う。非常通報入力部３５は例えば非常通報ボタン（不図示）などの簡単なスイッチからの入力を判定（検出）することにより非常時での利用が容易に行える構成としてある（実施の形態６参照）。
【００６７】
プログラム記憶部３７は、携帯通信端末機１の全体、上記各構成部間の連携動作を制御するプログラムを予め読み込んで記憶するので、携帯通信端末１としての動作を円滑に行うことが可能となる。
【００６８】
＜実施の形態２＞
図２は、本発明の実施の形態２に係る携帯通信端末機に生体情報および環境情報の許容値を設定するときの処理フローを示すフローチャートである。図３は、図２の処理フローの際にパーソナルコンピュータに表示されるデータ設定画面としてのウインドウ画面の例である。図４は、図２の処理フローの際にパーソナルコンピュータに表示される詳細入力画面としてのウインドウ画面の例である。
【００６９】
ステップＳ１：
携帯通信端末機１の入力部３６のＵＳＢ端子（不図示）を介してパーソナルコンピュータ（ＰＣ。不図示）を接続する。なお、ＰＣは予め立ち上げた状態にしておく。
【００７０】
ステップＳ２：
ＰＣに許容値設定プログラムをインストールする。許容値設定プログラムのアイコン（不図示）がＰＣ画面に表示されるので、そのアイコンをクリックして開くと、ＰＣ画面にはデータ設定画面としてのウインドウ画面ＦＯＲＭ１が表示される。ウインドウ画面ＦＯＲＭ１には、例えば、ボタン５０（Ｒｅａｄ  ＥＰＲＯＭ）、５１（Ｗｒｉｔｅ  ＥＰＲＯＭ）、５２（ディフォルト値）、５３（許容値設定）、５４（Ｍｅｓｓａｇｅ：メッセージ）が示される。なお、ボタン５４の例えば「Ｐｏｒｔ  ｏｐｅｎ  ＯＫ」とのメッセージは接続状態が正常であることを意味している。
【００７１】
ステップＳ３：
ウインドウ画面ＦＯＲＭ１でボタン５３（許容値設定）をクリックすると、ＰＣ画面にはウインドウ画面ＦＯＲＭ１に代わって詳細入力画面としてのウインドウ画面ＦＯＲＭ２が表示される。なお、ボタン５２（ディフォルト値）をクリックした場合には、標準値を自動設定するようにプログラムしてある。標準値は、例えば周囲温度６０（℃）、心拍数下限４５（拍／分）、心拍数上限１３５（拍／分）、血中酸素濃度７５（％）として予め設定しておくことができる。
【００７２】
ウインドウ画面ＦＯＲＭ２は例えば、許容値設定状態表示画面６０、許容値設定入力画面７０、センサ判定機能オンオフ入力画面８０、表示形態選択画面９０により構成してあり、ＰＣを介して具体的な数値（許容値）を入力（書き込み）する形態としてある。
【００７３】
許容値設定状態表示画面６０の各欄の数字「０」は許容値が設定してないことを示す。つまり、本実施の形態では、空気ボンベの空気残量欄６１、周囲温度欄６２、心拍数欄６３、血中酸素濃度欄６４は許容値が未入力であることを示す。なお、ＰＣと携帯通信端末機１との間での信号変換は許容値設定処理部３３で適宜行われるようにプログラムしてある。
【００７４】
ステップＳ４：
許容値設定入力画面７０の所定欄にＰＣのキーボードから必要な数値を入力する。
【００７５】
例えば空気ボンベの空気残量許容値入力欄７１としての満（ＦＵＬ：ＦＵＬＬ）に対して数値「１５０」、中（ＣＡＵ：ＣＡＵＴＩＯＮ）に対して数値「１００」、空（ＥＭＰ：ＥＭＰＴＹ）に対して数値「５０」を許容値として入力する。なお、数値は例示でありボンベの大きさなどに応じて適宜設定する必要がある。また、空気残量を電気信号として検出する必要があるが、空気残量をＬＥＤ発光素子で表示する形態のものであれば適用することが可能である。
【００７６】
なお、「満」はボンベに十分空気が満たしてあることを、「中」はボンベの空気貯蔵量が減少しており注意を要する（異常判定する）ことを、「空」はボンベの空気貯蔵量が少なく危険（退避が必要）であることを示す。
【００７７】
周囲温度許容値入力欄７２の数値「８０」は、周囲温度が８０（℃）以上となったときは異常判定をすることを示す。心拍数許容値入力欄７３の上限数値「１３０」、下限数値「４０」はそれぞれ１３０（拍／分）以上となったとき、４０（拍／分）以下となったとき異常判定をすることを示す。血中酸素濃度入力欄７４の下限数値「６０」は血中酸素濃度が６０（％）以下となったとき異常判定をすることを示す。
【００７８】
ステップＳ５：
センサ判定機能オンオフ入力画面８０は、ボタンをクリックしてボタン内にチェックマーク（Ｖ）を表示（入力）することにより、生体情報判定部１６、環境情報判定部２２をオン状態とし、許容値を判定基準とする異常判定を行う形態とする。ここでは、周囲温度８１、心拍数８２、血中酸素濃度８３、空気ボンベ（空気残量）８４それぞれに対してチェックマークを付しており、いずれも異常判定を行うことを例示してある。つまり、心拍数８２、血中酸素濃度８３に対しては生体情報判定部１６で異常判定を行い、周囲温度８１、空気ボンベ８４に対しては環境情報判定部２２で異常判定を行う。
【００７９】
また、生体情報判定部１６または環境情報判定部２２で異常判定がなされた場合に、画像重畳処理部３０は画像に重畳された数値情報を点滅させる点滅表示機能を同様にオン状態とする（実施の形態５参照）。
【００８０】
ステップＳ６：
表示形態選択画面９０により、画像に重畳して表示する数値情報の文字枠の表示態様を選択する。ここでは黒ぶち欄９１を選択した状態を示す。塗りつぶし欄９２を選択することも可能であり、画像の状況などから適宜選択することができる。
【００８１】
ステップＳ７：
戻るボタン１００をクリックして、ウインドウ画面ＦＯＲＭ１に戻り、ボタン５１（Ｗｒｉｔｅ  ＥＰＲＯＭ）をクリックすることにより、許容値設定入力画面７０に入力されたそれぞれの許容値はデータ記憶部３８に書き込みされ、さらにボタン５０（Ｒｅａｄ  ＥＰＲＯＭ）をクリックすることにより、許容値設定状態表示画面６０に反映（移植）される。つまり、ボタン５１のクリックにより、入力した許容値（生体情報許容値および環境情報許容値）はデータ記憶部３８（生体情報許容値記憶部３９および環境情報許容値記憶部４０）に記憶される。なお、このときの信号変換は許容値設定処理部３３（及びプログラム処理）により適宜行われることは上述したとおりである。
【００８２】
ステップＳ８：
許容値の入力（変更）結果の確認は移植後、許容値設定ボタン５３をクリックしてウインドウ画面ＦＯＲＭ２を開けば許容値設定状態表示画面６０に反映していることにより確認することができる。
【００８３】
本実施の形態では、許容値として標準値に限らず個別の値を設定することができるので、作業状況、作業者に応じて適切な許容値を設定することが可能となり、安全性、信頼性をさらに向上させることが可能となる。
【００８４】
なお、許容値の入力（変更）は上述した一括して行う場合に限らず、個々の項目毎に行うことも可能である。その場合には、ウインドウ画面ＦＯＲＭ１で許容値設定ボタン５３をクリックして、ウインドウ画面ＦＯＲＭ２を開き、許容値設定入力画面７０の該当する欄（入力しようとする項目欄）に所望の数値を入力した後、再度ウインドウ画面ＦＯＲＭ１に戻る。ウインドウ画面ＦＯＲＭ１でボタン５１をクリックすることにより、入力された許容値はデータ記憶部３８（生体情報許容値記憶部３９または環境情報許容値記憶部４０）に記憶され、ボタン５０をクリックすれば許容値設定状態表示画面６０に反映（移植）される。
【００８５】
また、位置情報に対しては許容値の入力はしない。位置情報に対しては基点（起点）位置を定め、起点でリセットを行うことで起点からの移動量を表示する形態とする。
【００８６】
＜実施の形態３＞
図５は、本発明の実施の形態３に係る携帯通信端末機で生体情報および環境情報の数値情報を画像に重畳させる場合／重畳させない場合の処理フローを示すフローチャートである。図６は、本発明の実施の形態３に係る携帯通信端末機での処理フローにより通信相手先の携帯電話の表示画面に数値情報が表示される場合／表示されない場合を示す模式図であり、（Ａ）は数値情報が表示されない場合を、（Ｂ）（Ｃ）は数値情報が表示された場合を示す。
【００８７】
本実施の形態に係る携帯通信端末機１では、携帯電話３からの指示に従って、生体情報および環境情報の数値情報３ｉｎｆを画像３ｉｍに重畳させるか否かを制御することにより、携帯電話３の表示画面３ｄｉｓで画像３ｉｍを表示することに加えて数値情報３ｉｎｆの表示、非表示の切替を行う構成としてある。なお、数値情報３ｉｎｆの内容は予め規定しておくことができ、例えば生体情報（血中酸素濃度、心拍数など）または環境情報（周囲温度、周囲湿度、空気残量、位置情報など）とすることができる。
【００８８】
また、生体情報、環境情報の種類と無関係に適宜選択した種類の組み合わせとした数値情報３ｉｎｆとすることができる。本実施の形態では、図６（Ｂ）は、血中酸素濃度、心拍数、空気残量、周囲温度を数値情報３ｉｎｆとして表示し、図６（Ｃ）は、位置情報を数値情報３ｉｎｆとして表示する場合を示す。
【００８９】
ステップＳ１０：
携帯電話３から携帯通信端末機１へＤＴＭＦ（Ｄｕａｌ  Ｔｏｎｅ  Ｍｕｌｔｉ  Ｆｒｅｑｕｅｎｃｙ）信号が送信されると、通信制御部３２を介してＤＴＭＦ信号が入力部３６に入力され、適宜処理されて信号の内容（数値情報の重畳切替指示か否か）が判定される。
【００９０】
携帯電話３の例えばボタン「♯」がプッシュされ対応するＤＴＭＦ信号（♯）が携帯電話３から携帯通信端末機１へ送信されると、入力部３６は数値情報３ｉｎｆの重畳切替指示である（Ｓ１０：ＹＥＳ）と判定しステップＳ１１へ移行する。数値情報３ｉｎｆの重畳切替指示でない場合（Ｓ１０：ＮＯ）は元に戻る。
【００９１】
ステップＳ１１：
入力部３６は画像重畳処理部３０での処理状況を確認して、数値情報３ｉｎｆが画像３ｉｍに重畳しているか否か、その時点での重畳状況を判定する。数値情報３ｉｎｆを重畳している（Ｓ１１：ＹＥＳ）場合（図６の（Ｂ）（Ｃ）の場合）にはステップＳ１２へ移行し、数値情報３ｉｎｆを重畳していない（Ｓ１１：ＮＯ）場合（図６の（Ａ）の場合）にはステップＳ１３へ移行する。
【００９２】
ステップＳ１２：
数値情報３ｉｎｆの重畳切替指示に従って画像重畳処理部３０での数値情報３ｉｎｆの重畳を解除し処理を終了する。つまり、数値情報３ｉｎｆを重畳している場合は、数値情報３ｉｎｆを非表示状態（図６の（Ａ））とする。したがって、通信相手先からの指示に基づいて画像３ｉｍへの数値情報３ｉｎｆの重畳の当否（重畳のオンオフ）を制御することができる。
【００９３】
ステップＳ１３：
数値情報３ｉｎｆの重畳切替指示に従って画像重畳処理部３０で数値情報３ｉｎｆを画像３ｉｍに重畳し処理を終了する。つまり、数値情報３ｉｎｆを重畳していない場合は、数値情報３ｉｎｆを表示状態（図６の（Ｂ）または（Ｃ））とする。したがって、通信相手先からの指示に基づいて画像３ｉｍへの数値情報３ｉｎｆの重畳の当否（重畳のオンオフ）を制御することができる。なお、このときに重畳する数値情報３ｉｎｆは前の段階で選択されていた数値情報３ｉｎｆをそのまま継続する形態とすることができる。
【００９４】
＜実施の形態４＞
図７は、本発明の実施の形態４に係る携帯通信端末機で画像に重畳する数値情報を選択する場合の処理フローを示すフローチャートである。
【００９５】
本実施の形態に係る携帯通信端末機１では、携帯電話３からの指示に従って、表示画面３ｄｉｓに重畳させる数値情報３ｉｎｆの内容（種類）を適宜選択できる構成としてある。例えば、生体情報および環境情報の数値情報の中から適宜選択した数値情報（数値情報の組み合わせ）からなる選択数値情報３ｉｎｆを指示に基づいて重畳し（携帯電話３で表示）、あるいは、重畳解除（携帯電話３で非表示）することができる構成としてある。なお、表示（重畳）、非表示（重畳解除）の切替は実施の形態３の処理フローに従う。
【００９６】
本実施の形態では選択数値情報３ｉｎｆとして例えば第１選択数値情報３ｉｎｆ（図６（Ｂ）参照）および第２選択数値情報３ｉｎｆ（図６（Ｃ）参照）の２種類の数値情報（数値情報の組み合わせ）を設定してある。第１選択数値情報３ｉｎｆは主として生体情報に係る（生体情報に深く関係する）血中酸素濃度、心拍数、空気残量、周囲温度で構成し、第２選択数値情報３ｉｎｆは位置情報で構成した。なお、選択数値情報３ｉｎｆとして生体情報および環境情報のその他の組み合わせとすることが可能であることは上述したとおりである。
【００９７】
第１選択数値情報３ｉｎｆおよび第２選択数値情報３ｉｎｆの種類の設定はＰＣを介して入力部３６から適宜行うことができるが、予めプログラム設定しておいても良い。画像重畳処理部３０は、この設定内容に基づいて画像と選択数値情報３ｉｎｆ（第１選択数値情報３ｉｎｆまたは第２選択数値情報３ｉｎｆ）の重畳を行い、数値情報重畳画像を形成する構成としてある。
【００９８】
ステップＳ２０：
実施の形態３と同様に、携帯電話３から携帯通信端末機１へＤＴＭＦ信号が送信され、通信制御部３２を介してＤＴＭＦ信号が入力部３６に入力され、適宜処理されて信号の内容（第１選択数値情報３ｉｎｆの重畳指示かまたは第２選択数値情報３ｉｎｆの重畳指示か）が判定される。
【００９９】
携帯電話３の例えばボタン「♯」「１」が連続してプッシュされ対応するＤＴＭＦ信号（♯、１）が携帯電話３から携帯通信端末機１へ送信されると、入力部３６は選択数値情報の切替指示であることを認識し、まず第１選択数値情報３ｉｎｆの重畳指示か否かを判定する。例えば、ＤＴＭＦ信号（♯、１）を第１選択数値情報３ｉｎｆに対応させた場合は、入力部３６は第１選択数値情報３ｉｎｆの重畳指示である（ステップＳ２０：ＹＥＳ）と判定してステップＳ２１へ移行する。ＤＴＭＦ信号が（♯、１）以外（例えば♯、２）であれば、入力部３６は第１選択数値情報３ｉｎｆの重畳指示でない（ステップＳ２０：ＮＯ）と判定してステップＳ２２へ移行する。
【０１００】
ステップＳ２１：
画像重畳処理部３０は、第１選択数値情報３ｉｎｆ（血中酸素濃度、心拍数、空気残量、周囲温度）を画像３ｉｍに重畳して数値情報重畳画像を形成する。これにより、携帯電話３の表示画面３ｄｉｓには撮像装置２４が撮影した画像３ｉｍと共に第１選択数値情報３ｉｎｆが重畳動画として表示される（図６（Ｂ））。
【０１０１】
表示のスタイル（表示レイアウト）は自由に設定できるが、図６（Ｂ）では、例えば表示画面３ｄｉｓの左側に縦に列記する場合を示す。血中酸素濃度は３桁の数字（単位％）と記号ｈ（○○○ｈ）で表示する。同図では血中酸素濃度９７％の場合を示す。心拍数は３桁の数字（単位拍数／分）と記号ｐ（○○○ｐ）で表示する。同図では心拍数１１８拍／分の場合を示す。空気残量は３種類の区分（ＦＵＬ、ＣＡＵ、ＥＭＰ）をそれぞれの記号で表示する。同図では空気残量ＦＵＬの場合を示す。周囲温度は３桁の数字（単位℃）と記号ｃ（○○○ｃ）で表示する。同図では周囲温度２３℃の場合を示す。
【０１０２】
ステップＳ２２：
携帯電話３の例えばボタン「♯」「２」が連続してプッシュされ対応するＤＴＭＦ信号（♯、２）が携帯電話３から携帯通信端末機１へ送信されると、例えば、ＤＴＭＦ信号（♯、２）を第２選択数値情報３ｉｎｆに対応させた場合は、入力部３６は第２選択数値情報３ｉｎｆの重畳指示である（ステップＳ２２：ＹＥＳ）と判定してステップＳ２３へ移行する。ＤＴＭＦ信号が（♯、２）以外であれば、入力部３６は第２選択数値情報３ｉｎｆの重畳指示でない（ステップＳ２２：ＮＯ）と判定して処理を終了する。
【０１０３】
ステップＳ２３：
画像重畳処理部３０は、第２選択数値情報３ｉｎｆ（位置情報）を画像３ｉｍに重畳して数値情報重畳画像を形成する。これにより、携帯電話３の表示画面３ｄｉｓには撮像装置２４が撮影した画像３ｉｍと共に第２選択数値情報３ｉｎｆが重畳動画として表示される（図６（Ｃ））。
【０１０４】
位置情報はＸ（前後動作の変動距離）、Ｙ（左右動作の変動距離）、Ｚ（上下動作の変動距離）の３次元表示とそれぞれの基準位置からの変動距離（単位ｍ）を３桁の数字で示す。図６（Ｃ）では、前後動作の変動距離−５ｍ、左右動作の変動距離−６ｍ、上下動作の変動距離−４７ｍの場合を示す。なお、位置情報は携帯通信端末機１が配置された場所によりその都度変動することから、適宜の地点を基点としてリセットすることにより基点からの変動で表す形態としてある。
【０１０５】
＜実施の形態５＞
図８は、本発明の実施の形態５に係る携帯通信端末機で生体または環境の異常を検出し、通信相手先で数値情報を点滅表示する場合の処理フローを示すフローチャートである。
【０１０６】
本実施の形態では、生体または環境の異常を検出した場合に、数値情報を点滅させて画像に重畳することにより、携帯電話３の表示画面３ｄｉｓに表示される数値情報３ｉｎｆを点滅させて表示することにより、生体または環境の異常の認識を通信相手先である携帯電話３で容易確実に行うことができる。
【０１０７】
ステップＳ３０：
生体情報判定部１６は、生体情報センサ１５により検出された生体情報を生体情報許容値記憶部３９に記憶してある生体情報の許容値と比較して生体は異常か否かを判定する。生体は異常と判定した場合（Ｓ３０：ＹＥＳ）は、ステップＳ３１へ移行し、異常ではないと判定した場合（Ｓ３０：ＮＯ）は、ステップＳ３２へ移行する。
【０１０８】
例えば心拍数許容値の上限１３０（拍／分）以上、心拍数許容値の下限４０（拍／分）以下であれば異常と判定される（図４の心拍数許容値入力欄７３参照）。
【０１０９】
ステップＳ３１：
画像重畳処理部３０は、生体情報判定部１６で異常と判定された生体情報の数値情報を点滅させて画像に重畳して数値情報重畳画像を形成する。これにより数値情報は点滅状態で動画としての画像にそのまま重畳されるから、携帯電話３の表示画面３ｄｉｓでもそのまま点滅状態（動画）として表示される。
【０１１０】
ステップＳ３２：
環境情報判定部２２は、環境情報センサ２１により検出された環境情報を環境情報許容値記憶部４０に記憶してある環境情報の許容値と比較して環境は異常か否かを判定する。環境が異常と判定した場合（Ｓ３２：ＹＥＳ）は、ステップＳ３３へ移行し、異常ではないと判定した場合（Ｓ３２：ＮＯ）は、処理を終了する。
【０１１１】
例えば周囲温度が８０（℃）を越えれば異常と判定される（図４の周囲温度許容値入力欄７２参照）。
【０１１２】
ステップＳ３３：
画像重畳処理部３０は、環境情報判定部２２で異常と判定された環境情報の数値情報を点滅させて画像に重畳して数値情報重畳画像を形成する。これにより数値情報は点滅状態で動画としての画像にそのまま重畳されるから、携帯電話３の表示画面３ｄｉｓでもそのまま点滅状態（動画）として表示される。
【０１１３】
＜実施の形態６＞
図９は、本発明の実施の形態６に係る携帯通信端末機で非常通報を行う場合の処理フローを示すフローチャートである。
【０１１４】
本実施の形態では、携帯通信端末機１の側から非常通報を行うものであり、自動発呼と併せて生体情報の数値情報を表示する形態としている。非常通報に際し自動発呼を可能としていることから、混乱を防止した迅速な通信が可能となり、生体の安全性の確保と迅速な状況把握が可能となる。
【０１１５】
ステップＳ４０：
非常通報入力部３５は、非常通報ボタン（不図示）がオンされたか否か（非常通報入力がされたか否か）を判定し、非常通報ボタンがオンされたとき（Ｓ４０：ＹＥＳ）は、ステップＳ４１へ移行し、非常通報ボタンがオフであれば（Ｓ４０：ＮＯ）、元に戻る。
【０１１６】
ステップＳ４１：
非常通報入力部３５は携帯通信端末機１が携帯電話３に接続中か否かを判定し、接続中である場合（Ｓ４１：ＹＥＳ）はステップＳ４３へ移行し、接続中でない場合（Ｓ４１：ＮＯ）はステップＳ４２へ移行する。
【０１１７】
ステップＳ４２：
非常通報入力部３５は、自動発呼部３４を起動させて自動発呼を行い、携帯通信端末機１を携帯電話３に接続する。接続が行われた時点（Ｓ４１：ＹＥＳ）でステップＳ４３へ移行する。
【０１１８】
ステップＳ４３：
生体情報の数値情報を画像に重畳して、通信相手先の携帯電話３で生体の状況をまず確認することができるように構成する。
【０１１９】
＜実施の形態７＞
実施の形態６では、非常通報時（非常通報ボタンがオンされた時）に自動発呼により接続を行うこととしたが、本実施の形態では、環境情報または生体情報に異常があることを検出した場合に、非接続であれば自動発呼を可能とするものである。
【０１２０】
この構成とすることにより、例えば作業者が意識不明などで非常通報ボタンをオンできない状態でも自動発呼とすることにより非常時への対応を迅速に行うことが可能となり、生体の安全性の確保と迅速な状況把握が可能となる。
【０１２１】
処理フローは、図９で示した処理フローのステップＳ４０の判断対象を「非常通報ボタンがオン？」から「環境情報または生体情報が異常か？」へと変更すれば良い。
【産業上の利用可能性】
【０１２２】
本発明に係る携帯通信端末機は、モバイル形態をとることから、設置場所、活用場所を問わないので、工場のライン監視、炉内、温室などの温度管理を要する場所の監視、救急車内での遠隔診断への活用、過酷な環境で活動する救急隊員、作業者への支援、監視などを行うことが可能となる。
【図面の簡単な説明】
【０１２３】
【図１】本発明の実施の形態１に係る携帯通信端末機の概略構成を示すブロック図である。
【図２】本発明の実施の形態２に係る携帯通信端末機に生体情報および環境情報の許容値を設定するときの処理フローを示すフローチャートである。
【図３】図２の処理フローの際にパーソナルコンピュータに表示されるデータ設定画面としてのウインドウ画面の例である。
【図４】図２の処理フローの際にパーソナルコンピュータに表示される詳細入力画面としてのウインドウ画面の例である。
【図５】本発明の実施の形態３に係る携帯通信端末機で生体情報および環境情報の数値情報を画像に重畳させる場合／重畳させない場合の処理フローを示すフローチャートである。
【図６】本発明の実施の形態３に係る携帯通信端末機での処理フローにより通信相手先の携帯電話の表示画面に数値情報が表示される場合／表示されない場合を示す模式図であり、（Ａ）は数値情報が表示されない場合を、（Ｂ）（Ｃ）は数値情報が表示された場合を示す。
【図７】本発明の実施の形態４に係る携帯通信端末機で画像に重畳する数値情報を選択する場合の処理フローを示すフローチャートである。
【図８】本発明の実施の形態５に係る携帯通信端末機で生体または環境の異常を検出し、通信相手先で数値情報を点滅表示する場合の処理フローを示すフローチャートである。
【図９】本発明の実施の形態６に係る携帯通信端末機で非常通報を行う場合の処理フローを示すフローチャートである。
【符号の説明】
【０１２４】
１  携帯通信端末機
２  通信回線網
３  携帯電話
３ｄｉｓ  表示画面
３ｉｍ  画像
３ｉｎｆ  数値情報
１０  ＣＰＵ
１０ｂ  バス
１１  音声処理部
１２  マイク
１３  スピーカ
１４  生体情報処理部
１５  生体情報センサ
１６  生体情報判定部
２０  環境情報処理部
２１  環境情報センサ
２２  環境情報判定部
２３  画像入力部
２４  撮像装置
２５  画像出力部
２６  モニタ
３０  画像重畳処理部
３１  送信画像圧縮部
３２  通信制御部
３２ａ  アンテナ
３３  許容値設定処理部
３４  自動発呼部
３５  非常通報入力部
３６  入力部
３７  プログラム記憶部
３８  データ記憶部
３９  生体情報許容値記憶部
４０  環境情報許容値記憶部
ＦＯＲＭ１  ウインドウ画面（データ設定画面）
ＦＯＲＭ２  ウインドウ画面（詳細入力画面）
【図１】
2006239197.tif 000003
【図２】
2006239197.tif 000004
【図３】
2006239197.tif 000005
【図４】
2006239197.tif 000006
【図５】
2006239197.tif 000007
【図６】
2006239197.tif 000008
【図７】
2006239197.tif 000009
【図８】
2006239197.tif 000010
【図９】
2006239197.tif 000011